(57)【要約】      （修正有）【課題】効率的に広告枠の交換を評価する枠交換評価システム、枠交換評価装置及びプログラムを提供する。【解決手段】枠交換評価システムは、枠交換対象である複数のキャンペーンを決定し、広告に関する情報を含む各キャンペーンの現在の枠情報を取得し、ユーザの入力に基づいて、期間及び枠交換対象外の期間の少なくとも一方を含む枠交換のための設定情報を取得し、現在の枠情報及び設定情報に基づいて、枠交換の候補を決定する。【選択図】図２
2020119278.tif 000002
【特許請求の範囲】
【請求項１】
広告枠交換対象である複数のキャンペーンを決定する制御部と、
各キャンペーンの現在の枠情報と、枠交換後の少なくとも一方のキャンペーンの許容予測視聴率に関する情報を含む枠交換のための設定情報と、を取得する取得部と、を有し、
前記制御部は、前記現在の枠情報及び前記設定情報に基づいて、枠交換の候補を決定することを特徴とする枠交換評価システム。
【請求項２】
前記制御部は、前記候補を、枠交換後の各キャンペーンの予測視聴率が許容予測視聴率を満たすように決定することを特徴とする請求項１に記載の枠交換評価システム。
【請求項３】
前記制御部は、前記候補を、重要枠に含まれない放出枠及び禁止枠に含まれない希望枠に基づいて決定し、
ここで、放出枠は、枠交換相手に渡す枠の候補に該当し、重要枠は、当該相手に移動させてはいけない枠に該当し、希望枠は、当該相手から貰いたい枠の候補に該当し、禁止枠は、当該相手から移動してこない枠に該当することを特徴とする請求項１又は請求項２に記載の枠交換評価システム。
【請求項４】
前記制御部は、前記候補を、前記放出枠、前記希望枠及び調整枠に基づいて決定し、
ここで、調整枠は、前記放出枠及び前記希望枠のみでは前記候補が決定できない場合に、枠交換に利用される枠に該当することを特徴とする請求項３に記載の枠交換評価システム。
【請求項５】
前記制御部は、前記調整枠における枠交換の数を、前記設定情報によって指定された交換する枠数に対応する数としてはカウントしないことを特徴とする請求項４に記載の枠交換評価システム。
【請求項６】
広告枠交換対象である複数のキャンペーンを決定する制御部と、
各キャンペーンの現在の枠情報と、枠交換後の少なくとも一方のキャンペーンの許容予測視聴率に関する情報を含む枠交換のための設定情報と、を取得する取得部と、を有し、
前記制御部は、前記現在の枠情報及び前記設定情報に基づいて、枠交換の候補を決定することを特徴とする枠交換評価装置。
【請求項７】
コンピュータに、
広告枠交換対象である複数のキャンペーンを決定する手順と、
各キャンペーンの現在の枠情報と、枠交換後の少なくとも一方のキャンペーンの許容予測視聴率に関する情報を含む枠交換のための設定情報と、を取得する手順と、
前記現在の枠情報及び前記設定情報に基づいて、枠交換の候補を決定する手順と、を実行させるためのプログラム。
【発明の詳細な説明】
【技術分野】
【０００１】
本開示は、枠交換評価システム、枠交換評価装置及びプログラムに関する。
【背景技術】
【０００２】
テレビ放送においては、広告としてコマーシャル（ＣＭ：Commercial  Message）が放送される。ＣＭは、タイムＣＭ（time  CM）及びスポットＣＭ（spot  CM）に大別される。タイムＣＭは、番組と一体で売買される枠で放送されるＣＭであって、プログラムコマーシャル（program  commercial）、番組ＣＭ、提供ＣＭなどと呼ばれてもよい。
【０００３】
スポットＣＭは、テレビ局が定めたＣＭ時間枠に放送されるＣＭに該当する。スポットＣＭは、番組間で放送されるステーションブレイク（ＳＢ：Station  Break）、番組内に挿入されるが提供表示が付かないパーティシペーション（ＰＴ：Participation）（又はパーティシペーティングＣＭ）などに分けられる。
【０００４】
どのＣＭをどの時間帯に放送するか（広告枠選択、作案などと呼ばれてもよい）の作業は、プランナー、放送局における作案管理担当者（作案デスクなどと呼ばれてもよい）などが経験に基づいて決定する非常に複雑な作業であった。プランナー及び作案管理担当者は、多数存在する広告キャンペーン（advertising  campaign）について、各キャンペーンの広告効果（例えば、ＧＲＰ（累積視聴率）、ＴＲＰ（ターゲット視聴率）、リーチなど）を最大化することが求められる。プランナーは、番組の視聴率、ＣＭ対象商品／サービスの認知度、スポンサー競合などを考慮しつつ、ＣＭのスケジュールを決定してきた。
【０００５】
そこで、プランナー及び作案管理担当者の負荷を軽減し、また広告効果をより高めるために、ＣＭの作案を自動化する手法が検討されている（例えば、特許文献１）。
【先行技術文献】
【特許文献】
【０００６】
【特許文献１】特開２００２−１５０１０７号公報
【発明の概要】
【発明が解決しようとする課題】
【０００７】
過去データから推察される最適な広告枠の選定や、実際に放映してからの反響を確認し、広告効果をより高めるために、一部のスポンサーの広告について、改案（ＣＭの広告枠を変更）が求められる場合がある。しかしながら、特許文献１に記載される手法は、枠が全く決まっていない状態から各枠を埋めていく方法であって、既に広告枠がアサインされている場合には利用が難しい。
【０００８】
このため、迅速に改案を作成することができないという課題があった。広告枠の交換の案について、効率的な生成、評価などを行うための方法が求められている。
【０００９】
そこで本開示は、効率的に広告枠の交換を評価できる枠交換評価システム、枠交換評価装置及びプログラムを提供することを目的の１つとする。
【課題を解決するための手段】
【００１０】
本開示の一態様に係る枠交換評価システムは、広告枠交換対象である複数のキャンペーンを決定する制御部と、各キャンペーンの現在の枠情報と、枠交換後の少なくとも一方のキャンペーンの許容予測視聴率に関する情報を含む枠交換のための設定情報と、を取得する取得部と、を有し、前記制御部は、前記現在の枠情報及び前記設定情報に基づいて、枠交換の候補を決定することを特徴とする。
【発明の効果】
【００１１】
本開示の一態様によれば、効率的に広告枠の交換を評価できる。
【図面の簡単な説明】
【００１２】
【図１】図１は、一実施形態に係る枠交換評価システムの概略構成の一例を示す図である。
【図２】図２は、一実施形態に係る枠交換対象決定方法のフローチャートの一例を示す図である。
【図３】図３は、一実施形態に係る枠交換対象決定方法のフローチャートの別の一例を示す図である。
【図４】図４は、枠の属性の一例を示す図である。
【図５】図５は、予測視聴率に対して適用されるバイアスの一例を示す図である。
【図６】図６は、枠の属性を全期間のタイムテーブルに適用する一例を示す図である。
【図７】図７は、枠の属性を全系列局のタイムテーブルに適用する一例を示す図である。
【図８】図８は、一実施形態に係る評価装置の機能構成の一例を示す図である。
【図９】図９は、一実施形態に係る評価装置などのハードウェア構成の一例を示す図である。
【発明を実施するための形態】
【００１３】
既存の改案については、以下の問題点が挙げられる：
・広告枠を交換した際の効果が不透明なためプランナーに頼らざるを得なかった、
・プランナーは、広告枠の交換元の広告主と交換先の広告主との両方の同意を得る必要があるため、改案が確定するまでに時間がかかる。
【００１４】
そこで、本発明者らは、広告主同士が直接的にテレビＣＭ枠を交換する取引を実現できる仕組みを着想した。
【００１５】
本開示の一態様によれば、枠を交換した場合の広告効果の変動などを確認しつつ、枠交換後の広告パッケージを好適に生成できる。また、広告枠の交換元の広告主が枠交換案作成に関わることによって、交換先の広告主の同意を得られれば改案が確定できるため、短時間での改案作成が可能である。
【００１６】
以下、本開示の実施形態について添付図面を参照して詳細に説明する。以下の説明では、同一の部には同一の符号が付される。同一の部は名称、機能などが同じであるため、詳細な説明は繰り返さない。
【００１７】
（枠交換評価システム）
図１は、一実施形態に係る枠交換評価システムの概略構成の一例を示す図である。図１に示す枠交換評価システム１は、枠交換評価装置１０と、放送配信装置２０と、枠交換案承認装置３０と、を含む。
【００１８】
枠交換評価装置１０は、複数の広告キャンペーン間で広告枠の交換を試行し、交換結果についての情報を提供する装置である。枠交換評価装置１０は、以下、単に評価装置１０とも呼ぶ。
【００１９】
なお、本開示において、枠交換は、枠廻し（又は枠回し）などで読み替えられてもよい。
【００２０】
評価装置１０は、携帯電話、スマートフォン、タブレット型端末などの携帯端末（移動通信端末）であってもよいし、パソコン（ＰＣ：Personal  Computer）などの固定通信端末であってもよい。つまり、本開示における評価装置１０は、通信デバイスで読み替えることができる。
【００２１】
評価装置１０は、有線及び／又は無線（例えば、ＬＴＥ（Long  Term  Evolution）、Ｗｉ−Ｆｉ（登録商標）など）を介して、ネットワーク（インターネットなど）と通信してもよい。
【００２２】
放送配信装置２０は、テレビ（ＴＶ：television）に対して放送を配信する装置である。ここで、テレビ（テレビ受像機）は、地上波放送、放送衛星（ＢＳ：Broadcasting  Satellite）／通信衛星（ＣＳ：Communications  Satellite）による放送、インターネット放送（インターネットテレビ）などの少なくとも１つを受信する機能を有する装置であってもよい。例えば、テレビは、多機能テレビ、スマートＴＶ、ＩＰ（Internet  Protocol）ＴＶ、セットトップボックスなどであってもよい。
【００２３】
なお、放送は、公衆によって直接受信されることを目的とする電気通信の送信を意味し、無線放送、インターネット放送などを含んでもよい。
【００２４】
枠交換案承認装置３０は、評価装置１０が出力した枠交換案（プラン）の承認（了承）に関する処理を行う装置である。枠交換案承認装置３０は、以下、単に承認装置３０とも呼ぶ。
【００２５】
評価装置１０など各装置の機能構成及びハードウェア構成の一例については、後述する。
【００２６】
なお、当該システム構成は一例であり、これに限られない。例えば、各装置は、図１ではそれぞれ１つずつ含まれる構成としたが、各機器の数はこれに限られず、複数存在してもよい。枠交換評価システム１は、一部の装置を含まない構成としてもよいし、１つの装置の機能が複数の装置により実現される構成としてもよい。
【００２７】
複数の装置の機能が１つの装置により実現される構成としてもよい。例えば、枠交換評価装置１０と、放送配信装置２０と、承認装置３０と、の少なくとも２つが、１つのサーバ上で実装されてもよい。
【００２８】
（枠交換評価方法）
本開示の一実施形態に係る枠交換評価方法について、以下で説明する。各枠交換評価方法は、上述の枠交換評価システムに適用されてもよい。
【００２９】
＜枠交換対象の決定＞
図２は、一実施形態に係る枠交換対象決定方法のフローチャートの一例を示す図である。
【００３０】
まず、評価装置１０は、枠交換対象である複数のキャンペーンを決定する（ステップＳ１０１）。評価装置１０は、ユーザの入力に基づいて当該複数のキャンペーンを決定してもよい。また、評価装置１０は、任意の複数のキャンペーンを枠交換対象として決定してもよい。本開示においては、複数のキャンペーンのうち、広告枠の交換元のキャンペーンを、第１のキャンペーンとも呼び、交換先の任意のキャンペーンを、第２のキャンペーンとも呼ぶ。
【００３１】
評価装置１０は、各キャンペーンの現在の枠情報を取得する（ステップＳ１０２）。当該枠情報は、既に作案されたＣＭのタイムテーブルに基づくものであってもよい。
【００３２】
ここで、枠情報は、広告に関する情報（広告情報、ＣＭ情報などと呼ばれてもよい）を含んでもよい。広告情報は、広告の内容（コンテンツ）に関する情報を含んでもよく、例えば、広告対象の商品又はサービスの内容（例えば、医療系、ギャンブル、金融、アルコール、たばこなどに関するか否か）を示してもよい。
【００３３】
また、広告情報は、当該キャンペーンの当該枠における広告がタイムＣＭなのかスポットＣＭなのかに関する情報を含んでもよい。広告情報は、当該キャンペーンの当該枠における広告がＳＢなのかＰＴなのかに関する情報を含んでもよい。なお、本開示における枠交換は、スポットＣＭ同士の交換を想定するが、これに限られない。
【００３４】
また、広告情報は、当該キャンペーンの広告の出稿パターン（例えば、逆Ｌ型、全日型、ヨの字型、コの字型、逆Ｆ型、深夜型、全日昼型など）に関する情報を含んでもよい。
【００３５】
枠情報は、広告が割り当てられる番組に関する情報（番組情報と呼ばれてもよい）を含んでもよい。番組情報は、例えば、放送日時（開始時間、終了時間、曜日、番組の時間長などを含んでもよい）、タイムランク（ＣＭ料金のランク）、番組のジャンル、番組の内容（コンテンツ）の情報、番組に関するキーワード、番組の予測視聴率などを含んでもよい。
【００３６】
番組のジャンルは、例えば、ニュース、バラエティ、ドラマ、映画、音楽、スポーツ、その他などであってもよい。予測視聴率は、リアルタイム視聴率及びタイムシフト視聴率の少なくとも一方に基づいて算出される予測視聴率（又は見積視聴率）を含んでもよいし、バズ係数などその他の指標を含んでもよい。
【００３７】
予測視聴率は、例えば、ターゲット層の個人視聴率の合計に相当するターゲット延べ視聴率（ＴＲＰ：Target  Rating  Point）、世帯視聴率の合計に相当する延べ視聴率（ＧＲＰ：Gross  Rating  Point）の少なくとも１つに関する予測視聴率を含んでもよい。また、予測視聴率は、個人全体視聴率であってリアルタイム視聴及び放送後７日目までのタイムシフト視聴を合算した視聴率（Ａｌｌ、Ｐ＋Ｃ７（Program  +  Commercial  7）などと呼ばれてもよい）について予測した視聴率を含んでもよい。
【００３８】
なお、ターゲット層は、マーケティングの分野で用いられる性・年齢別区分（Ｃ（Child）層、Ｔ（Teen）層、Ｍ（Male）１−Ｍ３層、Ｆ（Female）１−Ｆ３層）であると想定するが、これに限られない。
【００３９】
バズ係数は、対象の番組がどれくらい話題になっているか（バズっているか）を示す値であってもよい。当該バズ係数は、対象の番組に関する口コミ、インターネット上の書き込みなどの量及び／又は質に基づいて、算出又は予測されてもよい。
【００４０】
評価装置１０は、枠交換のための設定情報を取得する（ステップＳ１０３）。評価装置１０は、ユーザの入力に基づいて当該設定情報を取得してもよい。
【００４１】
当該設定情報は、枠交換対象の期間及び枠交換対象外の期間の少なくとも一方を含んでもよい。評価装置１０は、枠交換対象の期間に該当する枠であれば交換可能と判断し、そうでなければ交換不可能（例えば、この枠は既に確定された）と判断してもよい。また、評価装置１０は、枠交換対象外の期間に該当する枠であれば交換不可能と判断し、そうでなければ交換可能と判断してもよい。
【００４２】
当該設定情報は、枠交換後の各キャンペーンの許容予測視聴率に関する情報を含んでもよい。評価装置１０は、枠交換後の各キャンペーンの少なくとも一方の予測視聴率が許容予測視聴率を満たさないというプラン（改案プラン、枠交換プランなどと呼ばれてもよい）は選択（提示）しない制御を行ってもよい。なお、予測視聴率は、キャンペーン期間の全広告枠の予測視聴率の総和で読み替えられてもよい。
【００４３】
許容予測視聴率は、枠交換後の予測視聴率の値又は値の範囲で直接的に示されてもよいし、枠交換前の予測視聴率を基準とした差分値又は差分値の範囲で示されてもよい。例えば、許容予測視聴率は、枠交換前のＧＲＰ、ＴＲＰ及びＡＬＬのいずれかが、Ｘ％であることを示してもよいし、枠交換前からＹ％（Ｙは正の値、０、負の値のいずれでもよい）以上上がる若しくは下がる、又は枠交換前から±Ｙ％の範囲であることを示してもよい。
【００４４】
許容予測視聴率が複数設定される（例えば、ＧＲＰとＡＬＬについて設定される）場合、上記設定情報は、いずれの予測視聴率を優先的に高めるように選択するかの情報（プライオリティ情報）を含んでもよい。例えば、プライオリティ情報がＧＲＰ、ＡＬＬの順を示す場合、評価装置１０は、ＧＲＰの値がより大きくなる枠交換を決定するように制御してもよい。なお、プライオリティ情報は、枠交換の決定に関係せず、単に枠交換結果の表示の際の優先付けのために用いられてもよい。
【００４５】
許容予測視聴率は、交換元のキャンペーン及び交換先のキャンペーンの一方又は両方について設定されてもよい。
【００４６】
上記設定情報は、交換先として適切な（交換対象の）番組情報を含んでもよい。評価装置１０は、交換先として適切な番組情報に該当する枠であれば交換可能と判断し、そうでなければ交換不可能（例えば、交換先の枠は既に確定された）と判断してもよい。
【００４７】
上記設定情報は、交換する枠の数（交換枠数）に関する情報を含んでもよい。ここで、当該情報は、交換元のキャンペーンにおいて交換する枠の数、交換先のキャンペーンにおいて交換する枠の数の少なくとも一方を含んでもよい。これらの枠の数は、同じであってもよい（つまりｎ対ｎで交換してもよい）し、異なってもよい（ｎ対ｍ（ｎ≠ｍ）で交換してもよい）。
【００４８】
なお、評価装置１０は、上記設定情報に含まれる各種値のデフォルト値を、交換元のキャンペーンと交換先のキャンペーンとの関係性に基づいて決定してもよい。当該関係性は、例えば、同じ又は類似した業種（商品）であるか否か、キャンペーンの期間がどれくらい重複しているか、などであってもよい。
【００４９】
また、評価装置１０は、上記設定情報の取得にあたって、ユーザに値の入力を促す画面を表示してもよい。評価装置１０は、当該画面の表示の際には、上述のデフォルト値を最初に表示してもよい。
【００５０】
評価装置１０は、現在の枠情報及び設定情報に基づいて、枠交換の候補を決定する（ステップＳ１０４）。評価装置１０は、決定した候補の情報を、ユーザの選択のために表示してもよい。なお、交換元のキャンペーンと、交換先のキャンペーンと、でメインのターゲット層が異なってもよい。
【００５１】
例えば、ステップＳ１０３において、交換元のキャンペーンの現在の予測視聴率（キャンペーン期間の全広告枠の予測視聴率の総和）が、ＧＲＰ＝２７０．０、ＡＬＬ＝１４０．５、ＴＲＰ＝８５．０であり、交換先のキャンペーンの現在の予測視聴率（キャンペーン期間の全広告枠の予測視聴率の総和）が、ＧＲＰ＝３２０．０、ＡＬＬ＝１５５．０、ＴＲＰ＝１２５．５である場合を例に考える。
【００５２】
「ＧＲＰが０％以上上がる」という許容予測視聴率が両キャンペーンに設定される場合には、評価装置１０は、交換元のキャンペーンのＧＲＰが２７０．０以上かつ交換先のキャンペーンのＧＲＰが３２０．０以上を満たすような枠交換の案を、両キャンペーンの枠交換対象の期間から選択する。
【００５３】
なお、評価装置１０は、現在の交換元又は交換先のキャンペーンについて、過去にどのような指標（予測視聴率）に基づいて選択が行われたのかの情報を表示してもよい。これにより、重視する傾向が高い指標を提示できるため、プランを選択する目安をユーザに提供できる。
【００５４】
評価装置１０は、過去に決定した枠交換候補のプランに基づいて、過去の傾向から自動で枠交換のプランを生成してもよい。この場合、ステップＳ１０１−Ｓ１０４の少なくとも一部が省略されてもよい。
【００５５】
なお、広告の内容（コンテンツ）によっては、特定の時間帯における広告の放送が制限される場合がある。評価装置１０は、制限される広告の内容と時間帯との関係について、上記設定情報として設定されてもよいし、予め情報を保持してもよい。
【００５６】
評価装置１０は、上述の枠情報の広告の内容に関する情報に基づいて、交換元の広告が交換先の時間帯での放送が制限されているか否かを確認し、制限されている場合には当該交換は行わないと判断してもよい。例えば、交換元の広告がアルコールの広告であって、交換先の時間帯で放送が制限されている場合には、枠交換は実施されなくてもよい。
【００５７】
なお、ステップＳ１０１の複数のキャンペーンは、３つ以上であってもよい。この場合、ステップＳ１０４の枠交換の候補としては、例えばＡ社の枠をＢ社に、Ｂ社の枠をＣ社に、Ｃ社の枠をＡ社に、などが提示されてもよい。
【００５８】
［枠の属性］
なお、上記の枠交換対象決定方法では、枠交換対象及び交換対象外の期間を設定可能であったが、さらに詳細な期間が設定可能であってもよい。
【００５９】
ステップＳ１０３で示したような設定情報として、以下の枠の属性が設定可能であってもよい：
・放出枠（”out”）
・希望枠（”in”）
・重要枠（”importance”）
・禁止枠（”prohibition”）
・調整枠（”adjustment”）
【００６０】
なお、枠の属性が適用される期間は、ゾーンと呼ばれてもよい。例えば、重要枠の期間は、重要枠ゾーンなどと呼ばれてもよい。ある枠には、複数の属性が設定されてもよい。
【００６１】
放出枠は、相手に渡す枠（自分にとって不要な又は広告効果が低い枠）の候補に該当する。重要枠は、相手に移動させてはいけない枠である。ある枠が放出枠に設定されていても、当該枠が重要枠にも該当する場合には、当該枠は交換されないように制限される。
【００６２】
希望枠は、相手から貰いたい枠（自分にとって有用な又は広告効果が高い枠）の候補に該当する。禁止枠は、相手から広告が移動してこない（相手が利用できない）枠である。ある枠が希望枠に設定されていても、当該枠が禁止枠にも該当する場合には、当該枠には相手の広告が移動してこないように制限される。
【００６３】
調整枠は、放出枠及び希望枠のみでは条件を満たす枠交換が行えない場合に、予備的に枠交換に利用される枠である。
【００６４】
なお、ある枠の時間帯が複数の期間にまたがっている場合に当該枠を交換対象とするか否かは、設定可能であってもよい。
【００６５】
上述の枠の属性を利用することによって、第１のキャンペーンの広告枠Ａと第２のキャンペーンの広告枠Ｂを相互に入れ替える以外にも、例えば、第１のキャンペーンの広告枠Ａを第２のキャンペーンの広告枠Ｂに配置し、第２のキャンペーンの広告枠Ｄを第１のキャンペーンの広告枠Ｃに配置することが可能になる。
【００６６】
図３は、一実施形態に係る枠交換対象決定方法のフローチャートの別の一例を示す図である。本例は、図２のステップＳ１０２の後、ステップＳ１０３において上記の枠の属性が設定された後のステップＳ１０４の詳細を示す。
【００６７】
評価装置１０は、まず、重要枠に含まれない放出枠及び禁止枠に含まれない希望枠に基づいて、キャンペーン間で枠交換の条件を満たすプランを決定することを試みる（ステップＳ２０１）。つまり、評価装置１０は、第１のキャンペーンの放出枠に含まれる枠を第２のキャンペーンの希望枠に含まれる枠に交換枠数だけ移動させ、第２のキャンペーンの放出枠に含まれる枠を第１のキャンペーンの希望枠に含まれる枠に交換枠数だけ移動させるというプランの導出を試みる。この段階では、調整枠は使用されない。
【００６８】
ステップＳ２０１でプランがなかった場合、評価装置１０は、放出枠、希望枠及び調整枠に基づいて、キャンペーン間で枠交換の条件を満たすプランを決定することを試みる（ステップＳ２０２）。例えば、評価装置１０は、ステップＳ２０１で述べたような交換枠数の放出枠及び希望枠の交換を行った後、さらにキャンペーン間の調整枠同士で枠交換を実施し、条件を満たすプランの導出を試みる。つまり、調整枠における交換は、交換枠数にカウントされなくてもよい。
【００６９】
なお、ステップＳ２０２において、放出枠は、重要枠に含まれない放出枠であってもよいし、重要枠に含まれる枠及び含まれない枠を含んだ放出枠全体であってもよい。また、ステップＳ２０２において、希望枠は、禁止枠に含まれない希望枠であってもよいし、禁止枠に含まれる枠及び含まれない枠を含んだ希望枠全体であってもよい。また、ステップＳ２０２において、評価装置１０は、放出枠又は希望枠と、調整枠と、の間で枠交換を実施してもよい。
【００７０】
図４は、枠の属性の一例を示す図である。本例では、枠交換元であるキャンペーンＡのタイムテーブルと、枠交換先であるキャンペーンＢのタイムテーブルと、が示されている。
【００７１】
キャンペーンＡに関して設定される枠の属性と対応する時間帯は以下のとおりである：
・放出枠：水曜の９：３０−１０：３０
・希望枠：金曜から日曜の１９：００−２４：００
・重要枠：月曜の１６：５０−１７：５３
・禁止枠：土曜の２１：００−２３：００
・調整枠：月曜から火曜の１４：５０−２４：２５
【００７２】
また、キャンペーンＢに関して設定される枠の属性と対応する時間帯は以下のとおりである：
・放出枠：土曜の２４：５５−２５：２５
・希望枠：土曜から日曜の７：００−１１：４５
・重要枠：なし
・禁止枠：なし
・調整枠：月曜から金曜の１５：５０−１９：００
【００７３】
本例の場合、評価装置１０は、まずキャンペーンＡの放出枠、キャンペーンＢの希望枠、キャンペーンＡの希望枠（禁止枠は除く）及びキャンペーンＢの放出枠の組み合わせのみを用いて枠交換の条件を満たすプランがあるかを探索する。当該プランが存在する場合、キャンペーンＡ及びＢは、それぞれの放出枠で放送するはずの広告を、それぞれの希望枠で放送できる。
【００７４】
上記プランが存在しない場合、評価装置１０は、さらに各キャンペーンの調整枠の交換も含めて、枠交換の条件を満たすプランがあるかを探索してもよい。
【００７５】
［予測視聴率のバイアス］
上述した枠交換前及び枠交換後の予測視聴率は、所定のバイアスが適用された値であってもよい。例えば、予測視聴率は、視聴態度、視聴質及び購買需要係数の少なくとも１つを考慮して調整されてもよい。言い換えると、本開示の枠交換は、視聴率（予測視聴率）、視聴態度、視聴質及び購買需要係数の少なくとも１つに基づいて行われてもよい。評価装置１０は、視聴率（予測視聴率）、視聴態度、視聴質及び購買需要係数の少なくとも１つに基づいて枠交換を評価又は実施してもよい。
【００７６】
視聴態度（視聴質などと呼ばれてもよい）は、どのようにＣＭが見られているかを示す指標で表されてもよい。視聴態度は、視聴者が普通にＣＭを視聴する場合には、１（又は１００％）と表現されてもよく、意識して見られていなかったりするような場合には１より小さい値で表現されてもよい。また、視聴態度は、視聴者がＣＭに非常に集中するような場合には、１より大きい値で表現されてもよい。なお、視聴質は、誰が見ているのか、どのように見ているのかなどといった要素を示してもよい。
【００７７】
つまり、視聴態度が良い枠でＣＭを流すことにより、当該ＣＭについての実質的な視聴率が向上する効果が期待できる。
【００７８】
視聴態度は、以下のような条件によって変動すると想定されてもよい：
・時間帯（曜日、時間）、
・放送局、
・ターゲット層、
・ＣＭのタイプ（例えば、ＰＴかＳＢか）、
・番組（例えば、番組のコンテンツ）、
・キャンペーン（例えば、キャンペーンによる広告対象商品）。
【００７９】
これらの条件について、複数のバイアスのテーブルが用いられてもよい。図５は、予測視聴率に対して適用されるバイアスの一例を示す図である。図５の左側は、時間帯によって変動する時間帯バイアスの一例を示す。例えば時間帯バイアスは、あるキャンペーンのＣＭがある放送局で放送される場合の値であってもよく、キャンペーンごと及び放送局ごとに異なるテーブルが規定されてもよい。
【００８０】
また、図５の右側は、ＰＴ／ＳＢの違いに対応するＰＴ／ＳＢバイアスの一例を示す。例えばＰＴ／ＳＢバイアスは、あるキャンペーンのＣＭがある放送局で放送される場合の値であってもよく、キャンペーンごと及び放送局ごとの少なくとも一方で、異なるテーブルが規定されてもよい。
【００８１】
例えば、月曜５時の時間帯のＳＢで放送されるＣＭのＴＲＰがＸ％である場合を考える。このＣＭが、図５に示す２つのバイアスが設定されている放送局で放送される場合には、調整されたＴＲＰは、Ｘ＊０．１＊０．８＝０．０８Ｘ［％］となる。
【００８２】
購買需要係数は、商品の購買環境、購買動向などに関連するパラメータに該当してもよい。購買需要係数は、天候（気温などを含んでもよい）、ソーシャルデータ（流行っているか否か）、社会状況、ある商品の値段、あるサービスの値段などの少なくとも１つに基づいて求められてもよい。
【００８３】
一例として、購買需要係数は、ある食材（例えば、キャベツ）の価格が低下している期間において、当該食材を使った料理の素（例えば、回鍋肉の素）のＣＭを流すと、当該料理の素の売り上げがあがるというような関係に基づいて求められてもよい。このような場合に、当該料理の素のＣＭの購買需要係数は１より大きい値で表現されてもよい。
【００８４】
例えば、回鍋肉の素のＣＭの購買需要係数＝１．１である期間において、月曜５時の時間帯で放送されるＣＭのＴＲＰがＸ％である場合において、このＣＭが回鍋肉の素のＣＭである場合には、調整されたＴＲＰは、Ｘ＊１．１＝１．１Ｘ［％］と求められてもよい。
【００８５】
以上説明した態様によれば、枠交換において視聴態度、購買需要係数などを考慮することによって、ＣＭをより望ましい枠に好適に割り当てることができる。
【００８６】
＜枠交換対象の承認＞
枠交換案（プラン）が決定された場合、評価装置１０は、当該枠交換案を放送配信装置２０に送信してもよい。放送配信装置２０は、枠交換案の結果を反映したＣＭスケジュールに従って、ＣＭを放送してもよい。なお、枠交換案は、テレビ広告電子データ交換（ＥＤＩ：Electronic  Data  Interchange）システムを介して、送信されてもよい。
【００８７】
しかしながら、交換元のキャンペーンの広告主及び交換先のキャンペーンの広告主の一方だけが枠交換に納得しているケースも考えられる。両広告主の了承を得ることが好ましい。また、ＣＭが番組に与える影響も少なくないため、枠交換には放送局の了承も得られるとより好ましい。
【００８８】
評価装置１０は、決定した枠交換案に関する情報を、承認装置３０に送信してもよい。承認装置３０は、関係各所（交換元のキャンペーンの広告主、交換先のキャンペーンの広告主、交換元の放送局及び交換先の放送局の少なくとも２つ）の装置に対して、１つ又は複数の評価装置１０から受信した枠交換案の了承を要求する情報を送信してもよい。また、承認装置３０は、関係各所に対して上記了承を要求するメッセージを表示するための制御を行ってもよい。
【００８９】
承認装置３０は、上記関係各所から、上記枠交換案の了承を示す情報を受信した場合、上記枠交換案が了承されたと判断してもよい。承認装置３０は、了承を得られた枠交換案を放送配信装置２０に送信してもよい。放送配信装置２０は、了承を得られた枠交換案の結果を反映したＣＭスケジュールに従って、ＣＭを放送してもよい。
【００９０】
なお、承認装置３０は、１つ又は複数の評価装置１０から複数の枠交換案を受信した場合、当該複数の枠交換案を考慮した新たな枠交換案を生成し、当該新たな枠交換案について上記関係各所の了承を得る制御を実施してもよい。
【００９１】
以上説明した一実施形態によれば、効率的に広告枠の交換を評価できる。この結果、各キャンペーンでの広告効果を動的により高めるように調整できる。
【００９２】
＜変形例＞
上述の実施形態に示した設定（例えば、枠の属性）、決定された枠交換案（プラン）などの内容は、広告キャンペーン期間のうち他の期間（例えば、全期間）のタイムテーブルにも適用されてもよいし、他の放送局（例えば、系列局）のタイムテーブルにも適用されてもよい。
【００９３】
図６は、枠の属性を全期間のタイムテーブルに適用する一例を示す図である。本例では、キャンペーン期間が４月の一か月であると想定する。また、当該期間のうち、４月２日（月）から４月８日（日）の一週間のタイムテーブルを代表として用いることを想定する。
【００９４】
評価装置１０は、当該タイムテーブルのために設定された枠の属性を、上記代表の週以外の週のタイムテーブルに適用してもよい。また、評価装置１０は、上記代表の週について決定された枠交換プランを、上記代表の週以外の週のタイムテーブルに適用してもよい。
【００９５】
図７は、枠の属性を全系列局のタイムテーブルに適用する一例を示す図である。前提については図６と同様である。
【００９６】
評価装置１０は、当該タイムテーブルのために設定された枠の属性を、上記代表の週と同じ週の、他の系列局１−６のタイムテーブルに適用してもよい。また、評価装置１０は、上記代表の週について決定された枠交換プランを、上記代表の週と同じ週の、他の系列局１−６のタイムテーブルに適用してもよい。
【００９７】
この変形例の構成によれば、ある期間について設定した内容又は決定された枠交換を、他の期間又は他の局でも利用できるため、迅速に改案を作成できる。
【００９８】
（機器の構成）
図８は、一実施形態に係る評価装置の機能構成の一例を示す図である。本例に示すように、評価装置１０は、制御部１１０と、記憶部１２０と、通信部１３０と、入力部１４０と、出力部１５０と、を有する。なお、図８では、本実施形態における特徴部分の機能ブロックを主に示しており、評価装置１０は、他の処理に必要な他の機能ブロックも有してもよい。また、一部の機能ブロックを含まない構成としてもよい。
【００９９】
制御部１１０は、評価装置１０の制御を実施する。制御部１１０は、本開示に係る技術分野での共通認識に基づいて説明されるコントローラ、制御回路又は制御装置により構成することができる。
【０１００】
記憶部１２０は、評価装置１０において利用する情報を記憶（保持）する。記憶部１２０は、例えば、本開示に係る技術分野での共通認識に基づいて説明されるメモリ、ストレージ、記憶装置などにより構成することができる。
【０１０１】
通信部１３０は、ネットワークを介した他の通信デバイス（機器、サーバなど）との通信を行う。通信部１３は、受信した種々の情報を制御部１１０に出力してもよい。
【０１０２】
通信部１３０は、本開示に係る技術分野での共通認識に基づいて説明されるトランスミッター／レシーバー、送受信回路又は送受信装置により構成することができる。なお、通信部１３０は、送信部及び受信部から構成されてもよい。
【０１０３】
入力部１４０は、ユーザからの操作により入力を受け付ける。また、入力部１４０は、所定の機器、記憶媒体などと接続され、データの入力を受け付けてもよい。入力部１４０は、入力結果を例えば制御部１１０に出力してもよい。
【０１０４】
入力部１４０は、本開示に係る技術分野での共通認識に基づいて説明されるキーボード、マウス、ボタンなどの入力装置、入出力端子、入出力回路などにより構成することができる。また、入力部１４０は、表示部と一体となった構成（例えば、タッチパネル）としてもよい。
【０１０５】
出力部１５０は、ユーザに対して知覚できる形式でデータ、コンテンツなどの出力を行う。例えば、出力部１５０は、画像を表示する表示部、音声を出力する音声出力部などを含んで構成されてもよい。
【０１０６】
表示部は、例えば、本開示に係る技術分野での共通認識に基づいて説明されるディスプレイ、モニタなどの表示装置により構成することができる。また、音声出力部は、本開示に係る技術分野での共通認識に基づいて説明されるスピーカーなどの出力装置により構成することができる。
【０１０７】
出力部１５０は、例えば、本開示に係る技術分野での共通認識に基づいて説明される演算器、演算回路、演算装置、プレイヤー、画像／映像／音声処理回路、画像／映像／音声処理装置、アンプなどを含んで構成することができる。
【０１０８】
なお、制御部１１０は、図２、図３などで示したステップに基づく処理を実施してもよい。例えば、制御部１１０は、広告枠交換対象である複数のキャンペーンを決定してもよい。
【０１０９】
通信部１３０又は入力部１４０は、取得部と呼ばれてもよい。取得部は、上記複数のキャンペーンについて、各キャンペーンの現在の枠情報を取得してもよい。また、取得部は、枠交換後の少なくとも一方のキャンペーン（交換元又は交換先のキャンペーン）の許容予測視聴率に関する情報を含む枠交換のための設定情報を取得してもよい。
【０１１０】
制御部１１０は、上記現在の枠情報及び上記設定情報に基づいて、枠交換の候補（枠交換プラン）を決定してもよい。例えば、制御部１１０は、上記候補を、枠交換後の各キャンペーンの予測視聴率が許容予測視聴率を満たすように決定してもよい。
【０１１１】
制御部１１０は、上記候補を、重要枠に含まれない放出枠及び禁止枠に含まれない希望枠に基づいて決定してもよい。ここで、放出枠は、枠交換相手に渡す枠の候補に該当し、重要枠は、当該相手に移動させてはいけない枠に該当し、希望枠は、当該相手から貰いたい枠の候補に該当し、禁止枠は、当該相手から移動してこない枠に該当してもよい。
【０１１２】
制御部１１０は、上記候補を、上記放出枠、上記希望枠及び調整枠に基づいて決定してもよい。ここで、調整枠は、上記放出枠（重要枠に含まれない放出枠）及び上記希望枠（禁止枠に含まれない希望枠）のみでは上記候補が決定できない場合に、枠交換に利用される枠に該当してもよい。
【０１１３】
制御部１１０は、上記調整枠における枠交換の数を、上記設定情報によって指定された交換する枠数に対応する数としてはカウントしなくてもよい。制御部１１０は、上記設定情報によって指定された交換する枠数に関わらず、上記調整枠を用いた枠交換の候補を決定してもよい。
【０１１４】
放送配信装置２０、承認装置３０などについても、図８と同様の構成を有してもよい。当業者であれば、図８の説明における評価装置１０関連の記載を、適宜読み替えて理解できる。
【０１１５】
以下、いくつかの部について例示的に説明する。なお、図８の各機能ブロックに対応する各装置の符号は、各装置を示す符号の最初の一桁の数字（例えば、放送配信装置２０であれば「２０」の最初の一桁の「２」）を図８の最初の一桁の数字に適用して表す。
【０１１６】
放送配信装置２０の通信部２３０は、決定された枠交換案を評価装置１０から受信してもよい。放送配信装置２０の通信部２３０は、了承された枠交換案を承認装置３０から受信してもよい。放送配信装置２０の制御部２１０は、上記枠交換案の結果を反映したＣＭスケジュールに従って、所定の時間帯に放送するＣＭを決定してもよい。放送配信装置２０の通信部２３０は、当該ＣＭを配信（送信）してもよい。
【０１１７】
承認装置３０の通信部３３０は、決定された枠交換案を評価装置１０から受信してもよい。承認装置３０の制御部３１０は、関係各所（交換元のキャンペーンの広告主、交換先のキャンペーンの広告主、交換元の放送局及び交換先の放送局の少なくとも２つ）から了承を得るための処理を行ってもよい。承認装置３０の通信部３３０は、了承を得られた枠交換案を放送配信装置２０に送信してもよい。
【０１１８】
（ハードウェア構成）
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的に結合した１つの装置により実現されてもよいし、物理的に分離した２つ以上の装置を有線又は無線によって接続し、これら複数の装置により実現されてもよい。
【０１１９】
例えば、本開示の一実施形態における装置（評価装置１０など）は、本開示の枠交換評価方法の処理を行うコンピュータとして機能してもよい。図９は、一実施形態に係る評価装置などのハードウェア構成の一例を示す図である。上述の評価装置１０、放送配信装置２０などは、物理的には、プロセッサ１００１、メモリ１００２、ストレージ１００３、通信装置１００４、入力装置１００５、出力装置１００６、バス１００７などを含むコンピュータ装置として構成されてもよい。
【０１２０】
なお、本開示において、装置、回路、デバイス、ユニット、サーバなどは、互いに読み替えることができる。評価装置１０、放送配信装置２０などのハードウェア構成は、図に示した各装置を１つ又は複数含むように構成されてもよいし、一部の装置を含まずに構成されてもよい。
【０１２１】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０１２２】
評価装置１０、放送配信装置２０などにおける各機能は、プロセッサ１００１、メモリ１００２などのハードウェア上に所定のソフトウェア（プログラム）を読み込ませることによって、プロセッサ１００１が演算を行い、通信装置１００４による通信、メモリ１００２及びストレージ１００３におけるデータの読み出し及び／又は書き込みなどを制御することによって実現される。
【０１２３】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。なお、上述の制御部１１０などの各部は、プロセッサ１００１によって実現されてもよい。
【０１２４】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、制御部１１０は、メモリ１００２に格納され、プロセッサ１００１において動作する制御プログラムによって実現されてもよく、他の機能ブロックについても同様に実現されてもよい。
【０１２５】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、一実施形態に係る方法を実施するために実行可能なプログラム（プログラムコード）、ソフトウェアモジュールなどを保存することができる。
【０１２６】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。なお、上述の記憶部１２０は、メモリ１００２及び／又はストレージ１００３によって実現されてもよい。
【０１２７】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、ＳＩＭカードを含んでもよい。なお、上述の通信部１３０は、通信装置１００４によって実現されてもよい。
【０１２８】
入力装置１００５は、外部からの入力を受け付ける入力デバイス（例えば、キーボード、マウスなど）である。出力装置１００６は、外部への出力を実施する出力デバイス（例えば、ディスプレイ、スピーカーなど）である。なお、入力装置１００５及び出力装置１００６は、一体となった構成（例えば、タッチパネル）であってもよい。なお、上述の入力部１４０及び出力部１５０は、それぞれ入力装置１００５及び出力装置１００６によって実現されてもよい。
【０１２９】
また、プロセッサ１００１、メモリ１００２などの各装置は、情報を通信するためのバス１００８によって接続される。バス１００７は、単一のバスによって構成されてもよいし、装置間で異なるバスで構成されてもよい。
【０１３０】
また、評価装置１０、広告配信サーバ５０などは、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１３１】
（変形例）
なお、本開示において説明した用語及び／又は本開示の理解に必要な用語については、同一の又は類似する意味を有する用語と置き換えてもよい。
【０１３２】
本開示において説明した情報、パラメータなどは、絶対値を用いて表されてもよいし、所定の値からの相対値を用いて表されてもよいし、対応する別の情報を用いて表されてもよい。また、本開示においてパラメータなどに使用する名称は、いかなる点においても限定的なものではない。
【０１３３】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１３４】
情報、信号などは、複数のネットワークノードを介して入出力されてもよい。入出力された情報、信号などは、特定の場所（例えば、メモリ）に保存されてもよいし、テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０１３５】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０１３６】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１３７】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０１３８】
本開示において使用する「システム」及び「ネットワーク」という用語は、互換的に使用され得る。
【０１３９】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０１４０】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１４１】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０１４２】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０１４３】
本開示において、例えば、英語でのa,  an及びtheのように、翻訳によって冠詞が追加された場合、本開示は、これらの冠詞の後に続く名詞が複数形であることを含んでもよい。
【０１４４】
以上、本開示に係る発明について詳細に説明したが、当業者にとっては、本開示に係る発明が本開示中に説明した実施形態に限定されないということは明らかである。本開示に係る発明は、特許請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020119278.tif 000003
【図２】
2020119278.tif 000004
【図３】
2020119278.tif 000005
【図４】
2020119278.tif 000006
【図５】
2020119278.tif 000007
【図６】
2020119278.tif 000008
【図７】
2020119278.tif 000009
【図８】
2020119278.tif 000010
【図９】
2020119278.tif 000011